(57)【要約】【課題】電動モータ１を構成するヨーク４の内周面に、Ｕ字形をした支持具３を介して永久磁石２を弾性支持するにあたり、支持具３の跨部３ｂがアーマチュアコア７のコア部８に干渉しないようにする。【解決手段】跨部３ｂを、コア部８からアーマチュアコア７の軸心方向外方に突出形成させてコア部８より小径のコイルエンド部１０の外周面に対向する位置に位置させて、コア部８と干渉しないようにする。【選択図】図４
2009239997.tif 000002
【特許請求の範囲】
【請求項１】
内周面が円筒状のヨークと、該ヨークの内周面に一体的に支持される永久磁石と、コイルが巻装されたコア部が永久磁石に対向する状態で回転自在に支持されるアーマチュアコアとを備えてなる電動モータにおいて、前記永久磁石同志の間隙に、一対の脚部と該脚部の一端部同志を繋ぐ跨部とを備えた支持具を介装して永久磁石を弾性支持するにあたり、前記支持具の跨部を、アーマチュアコアのコア部よりも小径になったアーマチュアコアの軸心方向外方部位に偏倚されていて、前記コア部の外周面には対向しない位置に位置させたことを特徴とする電動モータ。
【請求項２】
支持具の跨部は、コア部の軸芯方向外方に形成され、コア部外径よりも小径になっているコイルエンド側またはコンミテータ側に偏倚していることを特徴とする請求項１記載の電動モータ。
【請求項３】
コア部は外周面を露出する状態で樹脂材でモールドされるものであり、支持具の跨部は、樹脂材があってもコア部外径よりは小径になった部位または樹脂材がなくて小径になっている部位に偏倚していることを特徴とする請求項１または２記載の電動モータ。
【請求項４】
支持具は、跨部が凵字形であることを特徴とする請求項１乃至４の何れか１記載の電動モータ。
【発明の詳細な説明】
【技術分野】
【０００１】
本発明は、ヨーク内周面に支持具を介して永久磁石を支持するようにした電動モータの技術分野に属するものである。
【背景技術】
【０００２】
一般に、この種電動モータとしてはヨーク内周面に永久磁石を支持して構成されているが、その場合に、隣接する永久磁石間の間隙に、一対の脚部とこれらを繋ぐ跨部とで例えばＵ字形に形成した弾性を有する支持具を介装し、これによって永久磁石を弾性支持するようにしたものが提唱されている（特許文献１参照）。
【特許文献１】特開２００５−３１２２２６号公報
【発明の開示】
【発明が解決しようとする課題】
【０００３】
ところが、前記従来のものは、跨部が永久磁石のアーマチュアコアの軸芯方向の長さ（幅）内に位置していて、積層してコア板材にコイルが巻装されていて、アーマチュアコアとしては最大径になるコア部（積層鉄心部）の外周面に対向する位置に位置していた。しかるに近時、永久磁石の高磁力化に伴い永久磁石が肉薄になったものがあること、支持具の取付け位置のバラツキや振動等によって支持具が内径側に寄ること等があり、この様な場合、図４（Ｂ）に示すように、前記コア部外周に対向している跨部３ｂが、該コア部８の回転軌跡Ｘ内に入り込んで干渉し、回転不良の要因になるという問題があり、ここに本発明の解決すべき課題がある。
【課題を解決するための手段】
【０００４】
本発明は、上記の如き実情に鑑みこれらの課題を解決することを目的として創作されたものであって、請求項１の発明は、内周面が円筒状のヨークと、該ヨークの内周面に一体的に支持される永久磁石と、コイルが巻装されたコア部が永久磁石に対向する状態で回転自在に支持されるアーマチュアコアとを備えてなる電動モータにおいて、前記永久磁石同志の間隙に、一対の脚部と該脚部の一端部同志を繋ぐ跨部とを備えた支持具を介装して永久磁石を弾性支持するにあたり、前記支持具の跨部を、アーマチュアコアのコア部よりも小径になったアーマチュアコアの軸心方向外方部位に偏倚されていて、前記コア部の外周面には対向しない位置に位置させたことを特徴とする電動モータである。
請求項２の発明は、支持具の跨部は、コア部の軸芯方向外方に形成され、コア部外径よりも小径になっているコイルエンド側またはコンミテータ側に偏倚していることを特徴とする請求項１記載の電動モータである。
請求項３の発明は、コア部は外周面を露出する状態で樹脂材でモールドされるものであり、支持具の跨部は、樹脂材があってもコア部外径よりは小径になった部位または樹脂材がなくて小径になっている部位に偏倚していることを特徴とする請求項１または２記載の電動モータである。
請求項４の発明は、支持具は、跨部が凵字形であることを特徴とする請求項１乃至４の何れか１記載の電動モータである。
【発明の効果】
【０００５】
請求項１の発明とすることにより、一対の脚部とこれらを繋ぐ跨部とを有する支持具を用いて永久磁石をヨークに支持するものでありながら、該支持具の跨部は、コア部ではなく、コア部の軸心方向外方にある小径部位に対向する位置にある結果、跨部がコア部の回転軌跡内に入り込む姿勢になってもコア部と干渉することがなく、アーマチュアコアの回転を損なうことがない。
請求項２の発明とすることで、コイルエンド側またはコンミテータ側の小径になるスペースを有効に利用して支持具の跨部を配することができる。
請求項３の発明とすることで、コア部に樹脂材でモールドされたものであっても、支持部の跨部がコア部に干渉しないようにして配することができる。
請求項４の発明とすることにより、跨部の軸心線方向の長さがＵ字形としたものより短いことになってモータの軸短化を達成できることになる。
【発明を実施するための最良の形態】
【０００６】
次ぎに、本発明の実施の形態について、図面に基づいて説明する。図中、１は電動モータであって、該電動モータ１は、本実施の形態では燃料ポンプＰの駆動部を構成しているが、本発明の電動モータとしては燃料ポンプＰに用いられるものに限定されるものではない。
【０００７】
前記電動モータ１は、内周面に後述するように永久磁石２を支持具３を介して支持した円筒状のヨーク４、該ヨーク４の筒両端部に設けられる一対のブラケット５、６と、両ブラケット５、６に回転自在に支持されるアーマチュアコア７等の各種の部材を用いて構成されていることは何れも従来どおりである。
【０００８】
前記アーマチュアコア７は、コア板８ａが積層され、ここに後述するように樹脂材１１でモールドされていることで埋設されていて外観では目視できないコイル８ｂが巻装されて形成したコア部８と、該コア部８の一端側に設けられるコンミテータ９と、コア部８およびコンミテータ９を貫通するアーマチュア軸（モータ軸）７ａとを備えて構成され、そしてアーマチュアコア７は、前記コア部８の外周面が永久磁石３の内周面に間隙（エアギャップ）を存して対向するようにしてアーマチュア軸７ａの各端部を前記ブラケット５、６に回転自在に支持されることでヨーク４内に組込まれている。さらにこのものでは前記コンミテータ９の一端面に、ブラケット５側に弾機５ａを介して出没自在に弾持したブラシ５ｂが摺接している。そしてアーマチュアコア７は、ブラシ５ｂに外部電源が供給されることによりコイルが励磁して駆動回転するように設定されている。また、ポンプ部はブラケット６側に形成されているが、該ポンプ部は、燃料流入口６ａが形成された外ケース６ｂ、アーマチュア軸７ａに設けられたインペラ６ｃを備え、そしてブラケット６に形成の貫通孔（図示せず）を経由してヨーク４内に燃料が流入し、そして該流入した燃料は、ブラケット５に形成の流出口５ｃを経由して吐出するようになっている。
【０００９】
さらにアーマチュアコア７は、コンミテータ９が設けられるとは反対の他端側において、前記巻装したコイルがコア部８からアーマチュアコア７の軸芯方向外方に突出するするようコイルエンド部１０が形成されているが、該コイルエンド部１０はコア部８よりも小径になっている。そして本実施の形態では、コンミテータ９のブラシ摺接面とコア部８の外周面とは露出するようにして樹脂材１１でモールドされているが、該樹脂材１１は、前記コイルエンド部１０にも施されていてコア部８から突出したコイルを覆い隠しているが、該コイルエンド部１０に施された樹脂材１１は先細り状になっていてコア部８の外径よりも小径になっている。
【００１０】
さて次に、前述した永久磁石２の支持具３を用いた支持構造について具体的に説明するが、支持具３は、一対の脚部３ａとこれらの一端同志を繋ぐ跨部３ｂとを備えた凵字形（Ｕ字形にしても勿論よい）をしている。そして隣接する永久磁石２間に形成される隙間Ｓに弾圧状に介装されて永久磁石２同志を弾性支持することになるが、この場合に、前記支持具３はコア部８を越えて突出し、跨部３ｂがコイルエンド部１０に対向する位置にまで至るようになっており、これによって跨部３ｂが、軸芯方向から見たときに図４（Ｂ）のようにコア部８の回転軌跡（本実施の形態ではコア部８の外周に一致している）Ｘ内に入り込んたものであっても、コア部８外周面と対向することなく、小径のコイルエンド部１０の外周面に対向することになって大径のコア部８に干渉することがないように設定されている。
【００１１】
叙述の如く構成された本発明の実施の形態において、永久磁石２をＵ字形をした支持具３を用いてヨーク４の内周面に弾性支持するものでありながら、該支持具３は、コア部８から小径のコイルエンド部１０に対向する位置まで突出し、そして跨部８ｂがコイルエンド部１０の外周面に対向している結果、軸芯方向から見たときに、図４（Ｂ）に示すように跨部３ｂがコア部の回転軌跡Ｘ内に入り込む姿勢になったとしても、跨部３ｂはコイルエンド部１０と対向する位置に位置していてコア部８と干渉する位置にはないことになって、跨部３ｂがアーマチュアコアの回転を損なうことがない。
【００１２】
しかもこのものでは、コイルエンド部１０まで樹脂材１１でモールドされているが、コイルエンド部１０に施された樹脂材１１についても、コア部８よりも小径になっているため、跨部３ｂのアーマチュアコアに対する干渉を回避することができる。しかも支持具３は、跨部３ｂが凵字形になっているため、Ｕ字形としたものより軸心方向に短いものにでき、これによって電動モータ１の軸短化を達成できることになる。
【００１３】
尚、本発明は前記実施の形態に限定されないものであることは勿論であって、支持具の跨部は、アーマチュアコアのコア部よりも小径になったアーマチュアコアの軸心方向外方部位に偏倚されていて、前記コア部の外周面には対向しない位置に位置していればよいのであって、そのような部位としては、コア部の軸芯方向外方に形成され、前記実施の形態のようにコア部外径よりも小径になっているコイルエンド側部位の偏倚したものだけでなく、図５（Ａ）に示す第二の実施の形態のように、コンミテータ９側に形成される小径部位に偏倚したものであってもよい。
さらにまた、コア部が外周面を露出する状態で樹脂材をモールドしたものである場合、支持具の跨部は、樹脂材があってもコア部外径よりは小径になった部位または樹脂材がなくて小径になっている部位に偏倚することでも実施できる。
また、支持具としては、一対の脚部と該脚部の一端部同志を繋ぐ跨部とを備えたものであればよく、このようなものとして、凵字形やＵ字形に限らず、図５（Ｂ）（Ｃ）に示すようにＶ字形やレ字形になったもの等、各種の形状をしたものを採用できる。
【図面の簡単な説明】
【００１４】
【図１】電動モータの断面図である。
【図２】（Ａ）（Ｂ）は支持具の正面図、平面図である。
【図３】（Ａ）（Ｂ）はヨークの断面図、底面図である。
【図４】（Ａ）（Ｂ）は永久磁石取付け部位の拡大縦部分断面図、拡大横部分断面図である。
【図５】（Ａ）は第二の実施の形態の電動モータの断面図、（Ｂ）（Ｃ）は支持具のそれぞれ他の実施の形態を示す正面図である。
【符号の説明】
【００１５】
１    電動モータ
２    永久磁石
３    支持具
３ａ  脚部
３ｂ  跨部
４    ヨーク
７    アーマチュアコア
８    コア部
８ａ  コア板材
１０    コイルエンド部
１１    樹脂材
Ｘ    回転軌跡
【図１】
2009239997.tif 000003
【図２】
2009239997.tif 000004
【図３】
2009239997.tif 000005
【図４】
2009239997.tif 000006
【図５】
2009239997.tif 000007